(57)【要約】【課題】ボルトにナットが螺合される際にボルトブロックがケースから脱落することを防止できるボルトブロックの取付構造を提供する。【解決手段】カセットブロック２にボルトブロック１を取り付けるボルトブロックの取付構造１０において、カセットブロック２に取り付けられる前のボルトブロック１のバスバ５には、取付部材３の上面３１に重ねられた接続部５１と、接続部５１との間に取付部材３を挟んだ支持部と、取付部材３の側面３３，３４に沿って延びた片持ち状の変形片５４と、が設けられている。前記ボルトブロック１は、カセットブロック２の下側から開口部２３を通されてカセットブロック２の上面２１に位置付けられる。また、取付部材３の上面３１から突出したボルト４にナット８が螺合される際、ボルト４の軸周りに回転する取付部材３に押された変形片５４が、塑性変形されて開口部２３を囲む縁２４の上に位置付けられる。【選択図】図５
2011223777.tif 000002
【特許請求の範囲】
【請求項１】
電気接続箱のケースに、ブロック状の取付部材と該取付部材の上面から突出したボルトと前記取付部材に取り付けられるバスバとを備えたボルトブロックを取り付けるボルトブロックの取付構造において、
前記ケースに取り付けられる前の前記ボルトブロックの前記バスバに、前記取付部材の前記上面に重ねられた接続部と、前記接続部との間に前記取付部材を挟んだ支持部と、前記取付部材の側面に沿って延び、前記接続部と前記支持部とが相対する方向と直交する方向の一端部が前記接続部または前記支持部に連なった片持ち状の変形片と、が設けられ、
前記ケースに、当該ケースの上面に開口した開口部が設けられ、かつ、
前記ケースの下側から前記開口部を通されて前記ケースの上面に位置付けられた前記ボルトブロックの前記ボルトにナットが螺合される際に、前記ナットと共に前記ボルトの軸周りに回転する前記取付部材の前記側面に前記変形片が押されることにより、該変形片が塑性変形されて前記ケースの前記開口部を囲む縁の上に位置付けられる
ことを特徴とするボルトブロックの取付構造。
【請求項２】
前記変形片が、互いの間に前記取付部材を位置付ける位置に一対設けられている
ことを特徴とする請求項１に記載のボルトブロックの取付構造。
【発明の詳細な説明】
【技術分野】
【０００１】
本発明は、電気接続箱のケースに、電源ケーブルの端子と電気接続されるボルトブロックを取り付けるボルトブロックの取付構造に関するものである。
【背景技術】
【０００２】
自動車には多種多様な電子機器が搭載されている。これら多種多様な電子機器に電力供給や信号伝送を行うために、前記自動車には、電気接続箱が搭載されている。この電気接続箱は、様々な構成のものが用いられているが、例えば、電気接続箱のケースを構成するカセットブロックに、電源ケーブルの端子と電気接続されるボルトブロックが取り付けられる構造の電気接続箱が知られている（特許文献１を参照。）。また、図６は従来の電気接続箱におけるボルトブロックの取付構造を示す断面斜視図である。また、図７は図６に示されたボルトブロックの分解図である。
【０００３】
図６及び図７に示すボルトブロックの取付構造２１０は、電気接続箱のケースを構成するカセットブロック２０２に、電源ケーブルの端末に接続されたＬＡ端子と電気接続されるボルトブロック２０１を取り付ける取付構造である。
【０００４】
上記カセットブロック２０２は、合成樹脂によりブロック状に形成されている。カセットブロック２０２の上面２２１には、リレーやヒューズ等の電気部品が装着される装着部２２２が設けられている。また、カセットブロック２０２には、上面２２１に開口し、内側にボルトブロック２０１が位置付けられる開口部２２３と、この開口部２２３の内側に位置付けられたボルトブロック２０１に係止する一対の係止アーム２２５と、が設けられている。
【０００５】
上記ボルトブロック２０１は、ブロック状の取付部材２０３と、この取付部材２０３に取り付けられたボルト２０４と、取付部材２０３に取り付けられたバスバ２０５と、を備えている。
【０００６】
上記取付部材２０３は、合成樹脂で構成されており、ボルト２０４の頭部２４２を収容して取り付ける取付部材本体２３０と、この取付部材本体２３０の両側面から突出した一対の係止突起２３１と、が設けられている。また、前記一対の係止突起２３１は、カセットブロック２０２に設けられた前記一対の係止アーム２２５に係止する。
【０００７】
上記ボルト２０４には、取付部材本体２３０内に収容される頭部２４２と、取付部材本体２３０の上面から突出する軸部２４１と、が設けられている。
【０００８】
上記バスバ２０５は、金属板にプレス加工等が施されて得られる電気接続箱の配線部材である。このバスバ２０５には、図７に示すように、取付部材本体２３０の上面に重ねられる接続部２５１と、カセットブロック２０２の装着部２２２に装着される電気部品に接続される複数の部品接続部２５６と、接続部２５１と複数の部品接続部２５６とを連結し、カセットブロック２０２の内部に収容される収容部２５７と、が設けられている。また、前記接続部２５１には、ボルト２０４の軸部２４１が通される貫通穴２５２が設けられている。
【０００９】
上記構成のボルトブロック２０１は、ボルト１０４が取付部材２０３に取り付けられ、バスバ２０５の接続部２５１が取付部材本体２３０の上面に重ねられた状態で、図７に示すようにカセットブロック２０２の下側から開口部２２３の内側に位置付けられて、バスバ２０５の収容部２５７がカセットブロック２０２の内部に収容されるとともに一対の係止突起２３１が一対の係止アーム２２５に係止することにより、図６に示すようにカセットブロック２０２に取り付けられる。また、ボルトブロック２０１は、カセットブロック２０２に取り付けられた状態で、接続部２５１がカセットブロック２０２の上面２２１に位置付けられる。
【００１０】
さらに、上記ボルトブロック２０１は、カセットブロック２０２に取り付けられた後に、接続部２５１に電源ケーブルの端末に接続されたＬＡ端子が重ねられ、該ＬＡ端子に設けられた貫通穴を通された軸部２４１にナットが螺合されることにより、該ナットと接続部２５１との間にＬＡ端子を挟んでＬＡ端子を取り付けるとともに該ＬＡ端子と電気接続される。
【先行技術文献】
【特許文献】
【００１１】
【特許文献１】特開平６−２７６６４８号公報
【発明の概要】
【発明が解決しようとする課題】
【００１２】
しかしながら、図６及び図７に示したボルトブロックの取付構造２１０においては、ボルト２０４の軸部２４１にナットが螺合される際に取付部材２０３に加えられる荷重によって、一対の係止突起２３１と一対の係止アーム２２５との係止が外れて、ボルトブロック２０１がカセットブロック２０２から図６中の矢印Ｃ方向に脱落することがあるという問題があった。
【００１３】
したがって、本発明は、ボルトにナットが螺合される際にボルトブロックがケースから脱落することを防止できるボルトブロックの取付構造を提供することを目的とする。
【課題を解決するための手段】
【００１４】
上記目的を達成するために請求項１に記載された発明は、電気接続箱のケースに、ブロック状の取付部材と該取付部材の上面から突出したボルトと前記取付部材に取り付けられるバスバとを備えたボルトブロックを取り付けるボルトブロックの取付構造において、前記ケースに取り付けられる前の前記ボルトブロックの前記バスバに、前記取付部材の前記上面に重ねられた接続部と、前記接続部との間に前記取付部材を挟んだ支持部と、前記取付部材の側面に沿って延び、前記接続部と前記支持部とが相対する方向と直交する方向の一端部が前記接続部または前記支持部に連なった片持ち状の変形片と、が設けられ、前記ケースに、当該ケースの上面に開口した開口部が設けられ、かつ、前記ケースの下側から前記開口部を通されて前記ケースの上面に位置付けられた前記ボルトブロックの前記ボルトにナットが螺合される際に、前記ナットと共に前記ボルトの軸周りに回転する前記取付部材の前記側面に前記変形片が押されることにより、該変形片が塑性変形されて前記ケースの前記開口部を囲む縁の上に位置付けられることを特徴とするボルトブロックの取付構造である。
【００１５】
請求項２に記載された発明は、請求項１に記載された発明において、前記変形片が、互いの間に前記取付部材を位置付ける位置に一対設けられていることを特徴とするものである。
【発明の効果】
【００１６】
請求項１に記載された発明によれば、前記ケースに取り付けられる前の前記ボルトブロックの前記バスバに、前記取付部材の前記上面に重ねられた接続部と、前記接続部との間に前記取付部材を挟んだ支持部と、前記取付部材の側面に沿って延び、前記接続部と前記支持部とが相対する方向と直交する方向の一端部が前記接続部または前記支持部に連なった片持ち状の変形片と、が設けられ、前記ケースに、当該ケースの上面に開口した開口部が設けられ、かつ、前記ケースの下側から前記開口部を通されて前記ケースの上面に位置付けられた前記ボルトブロックの前記ボルトにナットが螺合される際に、前記ナットと共に前記ボルトの軸周りに回転する前記取付部材の前記側面に前記変形片が押されることにより、該変形片が塑性変形されて前記ケースの前記開口部を囲む縁の上に位置付けられるので、前記開口部を囲む縁の上に位置付けられる前記変形片によって、ボルトにナットが螺合される際にボルトブロックがケースから脱落することを防止できる。
【００１７】
請求項２に記載された発明によれば、前記変形片が、互いの間に前記取付部材を位置付ける位置に一対設けられているので、前記開口部を囲む縁の上に位置付けられる前記一対の変形片によって、ボルトにナットが螺合される際にボルトブロックがケースから脱落することを確実に防止できる。
【図面の簡単な説明】
【００１８】
【図１】本発明の一実施の形態にかかるボルトブロックの取付構造を示す平面図であり、カセットブロックの上面に位置付けられたボルトブロックのボルトにナットが螺合される前の状態を示す図である。
【図２】図１に示されたボルトブロックがカセットブロックに取り付けられる前の状態を示す斜視図である。
【図３】図２に示されたボルトブロックを拡大した斜視図である。
【図４】図１に示されたボルトブロックを拡大した斜視図である。
【図５】図４に示されたボルトブロックの変形片の作用を説明する説明図である。
【図６】従来の電気接続箱におけるボルトブロックの取付構造を示す断面斜視図である。
【図７】図６に示されたボルトブロックの分解図である。
【発明を実施するための形態】
【００１９】
本発明の一実施の形態にかかるボルトブロックの取付構造１０を図１〜図５を参照して説明する。また、本発明のボルトブロックの取付構造１０は、電気接続箱のケースを構成するカセットブロック２に、電源ケーブル６の端末に接続されたＬＡ端子７と電気接続されるボルトブロック１を取り付ける取付構造である。即ち、ボルトブロックの取付構造１０は、カセットブロック２とボルトブロック１とで構成されている。
【００２０】
また、前記「電気接続箱」は、自動車に搭載され、前記自動車に搭載された電子機器に対して電力供給及び信号伝送を行うものである。また、前記「電気接続箱のケース」は、図示しないケース本体と、このケース本体内に収容されるカセットブロック２と、で構成されている。
【００２１】
また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００２２】
上記電源ケーブル６は、自動車に搭載されたバッテリやオルタネータなどに接続され、大電流が流される太物の電線である。この電源ケーブル６には、図４に示すように、芯線６１と、芯線６１を被覆した絶縁被覆６２と、が設けられている。
【００２３】
上記ＬＡ端子７は、厚手の金属板にプレス加工等が施されて得られる端子であり、図４に示すように、電源ケーブル６の芯線６１を圧着する一対の圧着片７３と、絶縁被覆６２をかしめる一対のかしめ片７４と、前記接続部５１に重ねられて接続部５１に電気接続される相手側接続部７１と、が設けられている。この相手側接続部７１は、平らな板状に形成され、その中央部に貫通穴７２が設けられている。
【００２４】
上記カセットブロック２は、図１、図２に示すように、合成樹脂によりブロック状に形成されている。カセットブロック２の上面２１には、リレーやヒューズ等の電気部品が装着される装着部２２が設けられている。また、カセットブロック２には、上面２１に開口し、内側にボルトブロック１が通される開口部２３が設けられている。この開口部２３は、平面形状が四角形に形成されている。即ち、開口部２３は、直線状の４つの縁に囲まれて形成されている。これら４つの縁のうち、開口部２３の幅方向、即ち矢印Ｚ方向、に互いに相対する一対の縁に符号２４を付す。これら一対の縁２４は、上面２１よりも低い位置に形成されている。即ち、上面２１と一対の縁２４とには段差が形成されている。
【００２５】
また、図１〜図４中の矢印Ｘは、上記開口部２３の長手方向を示しており、矢印Ｚは、上記開口部２３の幅方向を示しており、矢印Ｙは、カセットブロック２の高さ方向を示している。また、本発明における「上側」とは、紙面方向における矢印Ｙ方向の上側を意味し、「下側」とは、紙面方向における矢印Ｙ方向の下側を意味する。
【００２６】
上記ボルトブロック１は、ブロック状の取付部材３と、この取付部材３に取り付けられるボルト４と、取付部材３に取り付けられるバスバ５と、を備えている。
【００２７】
上記取付部材３は、合成樹脂で構成されており、図３、図４に示すように、ボルトブロック１が開口部２３の内側を通されてカセットブロック２に取り付けられた状態で、カセットブロック２の上面２１側に位置付けられる平らな上面３１と、上面３１に対向する下面３２と、これら上面３１及び下面３２に交差する４つの平らな側面３３，３４，３５，３６と、が設けられたブロック状に形成されている。また、側面３３と側面３４とは互いに対向しており、側面３５と側面３６とは互いに対向している。この取付部材３は、その内部にボルト４の頭部４２を収容することでボルト４を取り付ける。また、頭部４２が取付部材３の内部に収容されたボルト４は、軸部４１が上面３１から突出する。また、前記軸部４１は、円柱状に形成され外周面に螺旋状の溝が切られた雄ねじである。
【００２８】
上記バスバ５は、金属板にプレス加工等が施されて得られる電気接続箱の配線部材である。また、本実施形態では、板厚が０．８ｍｍ程度の金属板を使用している。このバスバ５には、図３、図４に示すように、接続部５１と、支持部５３と、連結部５５と、一対の変形片５４と、複数の部品接続部５６と、収容部５７と、が一体で設けられている。
【００２９】
上記接続部５１は、平面形状が長方形の板状に形成され、その中央にボルト４の軸部４１が通される貫通穴５２が設けられている。この接続部５１は、ボルト４が取り付けられた状態の取付部材３の上面３１に重ねられ、貫通穴５２内に軸部４１を位置付ける。また、この接続部５１には、上述したＬＡ端子７の相手側接続部７１が重ねられる。
【００３０】
上記支持部５３は、図３に示すように、取付部材３の下面３２に重ねられ、接続部５１との間に取付部材３を挟んで、取付部材３を保持する。
【００３１】
上記連結部５５は、図３に示すように、接続部５１と支持部５３とを連結した部分である。連結部５５は、取付部材３の側面３５と間隔をあけて相対する。
【００３２】
上記一対の変形片５４は、図４に示すように、取付部材３の互いに対向する平らな側面３３，３４に沿って帯状に延びており、接続部５１と支持部５３とが相対する方向と直交する方向の一端部５４ａが接続部５１に連なり、他端部５４ｂが自由端とされた片持ち状に形成されている。また、側面３３に沿って延びた一方の変形片５４は、その他端部５４ｂが、側面３３の側面３５側の端部近傍に位置付けられている。また、側面３４に沿って延びた他方の変形片５４は、その他端部５４ｂが、側面３４の側面３６側の端部近傍に位置付けられている。
【００３３】
上記部品接続部５６は、カセットブロック２の装着部２２に装着される電気部品に接続される部分である。
【００３４】
上記収容部５７は、接続部５１と複数の部品接続部５６とを連結した部分である。収容部５７は、カセットブロック２の内部に収容されて、カセットブロック２に取り付けられる。
【００３５】
上記構成のボルトブロック１は、ボルト４が取付部材３に取り付けられた後に、この取付部材３にバスバ５が取り付けられて組み立てられる。また、バスバ５は、取付部材３に取り付けられる前は、連結部５５と支持部５３とが面一の状態となっている。このようなバスバ５は、接続部５１が取付部材３の上面３１に重ねられ、貫通穴５２にボルト４の軸部４１が通され、一対の変形片５４が取付部材３の側面３３，３４に重ねられた後に、接続部５１と支持部５３との間に取付部材３を挟むように連結部５５と支持部５３との境界部分が折り曲げられることにより、取付部材３に取り付けられる。
【００３６】
さらに、上述したように組み立てられたボルトブロック１は、図２に示すように、一対の変形片５４同士が相対する方向が開口部２３の幅方向となる向きで、カセットブロック２の下側から開口部２３を通され、そして、バスバ５の収容部５７がカセットブロック２の内部に収容されてカセットブロック２に取り付けられることにより、接続部５１がカセットブロック２の上面２１と同一平面上に位置付けられた状態でカセットブロック２に取り付けられる。また、この状態で、一対の変形片５４は、一対の縁２４よりも上側、即ち上面２１側、に位置付けられている。
【００３７】
さらに、上述したようにカセットブロック２に取り付けられたボルトブロック１は、図４、図５に示すように、接続部５１にＬＡ端子７の相手側接続部７１が重ねられ、該相手側接続部７１の貫通穴７２を通された軸部４１にナット８が螺合されることにより、該ナット８と接続部５１との間に相手側接続部７１を挟んでＬＡ端子７を取り付けるとともに該ＬＡ端子７と電気接続される。なお、図５においては、変形片５４の形状を説明するため、接続部５１とナット８との間に挟まれるＬＡ端子７の図示を省いている。
【００３８】
さらに、上記ボルトブロック１は、上述したようにボルト４の軸部４１にナット８が螺合される際、ボルト４及び取付部材３が、ナット８と共にボルト４の軸周りに回転する。また、本実施形態では、１５度程度回転する。このことにより、一対の変形片５４が、回転する取付部材３の側面３３，３４に押されて塑性変形され、図５に示すように開口部２３を囲む縁２４の上にそれぞれ位置付けられる。
【００３９】
また、本発明では、従来例のように、取付部材３を樹脂部材である係止アーム等でカセットブロック２に保持するのではなく、上述したように、接続部５１と支持部５３との間に挟むことで取付部材３を保持する構成としているので、この取付部材３を上述したようにナット８が螺合される際に回転させることができる。
【００４０】
このように、本発明のボルトブロックの取付構造１０によれば、ボルト４にナット８が螺合される際に、一対の変形片５４が、取付部材３に押されて開口部２３を囲む縁２４の上に位置付けられるので、ナット８が螺合される際に取付部材３に加えられる荷重を、樹脂部材よりも強度の高い一対の変形片５４で受けることができる。よって、ボルト４にナット８が螺合される際にボルトブロック１がカセットブロック２から脱落することを防止できる。
【００４１】
また、上述した実施形態では、「電気接続箱のケース」が、図示しないケース本体と、このケース本体内に収容されるカセットブロック２と、で構成されていたが、本発明の「電気接続箱のケース」は、前記ケース本体と前記カセットブロックとが一体に形成されていても良い。
【００４２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
１  ボルトブロック
２  カセットブロック（ケース）
３  取付部材
４  ボルト
５  バスバ
８  ナット
１０  ボルトブロックの取付構造
２１  上面
２３  開口部
２４  縁
３１  上面
３３，３４  側面
５１  接続部
５３  支持部
５４  変形片
【図１】
2011223777.tif 000003
【図２】
2011223777.tif 000004
【図３】
2011223777.tif 000005
【図４】
2011223777.tif 000006
【図５】
2011223777.tif 000007
【図６】
2011223777.tif 000008
【図７】
2011223777.tif 000009